(57)【要約】【課題】第１の筐体に対し第２の筐体がヒンジ軸を介して回転可能に結合する回転構造において、第１の筐体の内部と第２の筐体の内部とを繋いでヒンジ軸の近傍に露出して配置される配線を常時覆って保護する。【解決手段】第１の筐体１０に対し第２の筐体２０がヒンジ軸を介して回転可能に結合する回転構造であって、第１の筐体１０の内部と第２の筐体２０の内部とを繋いでヒンジ軸の近傍に露出して配置されるＦＰＣ３２と、その露出したＦＰＣ３２を覆うように配置されて、第１の筐体１０に対するヒンジ軸回りの第２の筐体２０の回転動作に追従する保護カバー３３と、を備える。【選択図】図２
2016042165.tif 000002
【特許請求の範囲】
【請求項１】
第１の筐体に対し第２の筐体がヒンジ軸を介して回転可能に結合する回転構造であって、
前記第１の筐体の内部と第２の筐体の内部とを繋いで前記ヒンジ軸の近傍に露出して配置される配線と、
前記ヒンジ軸の近傍に前記露出して配置された配線を覆うように配置されて、前記第１の筐体に対する前記ヒンジ軸回りの前記第２の筐体の回転動作に追従する保護カバーと、を備えることを特徴とする回転構造。
【請求項２】
前記保護カバーは、前記配線を覆う断面略円弧状に形成されていることを特徴とする請求項１に記載の回転構造。
【請求項３】
前記保護カバーは、前記第１の筐体に対し前記ヒンジ軸と異なる位置に配置された軸を中心に揺動して、前記第２の筐体の回転動作に追従するようバネにより付勢されていることを特徴とする請求項１または２に記載の回転構造。
【請求項４】
前記配線は、前記第２の筐体における前記ヒンジ軸から所定距離の位置から出線されて外部に露出するとともに所定の配線経路を通って前記第１の筐体内に入るように配置され、
前記保護カバーは、前記所定の配線経路を覆うように形成されていることを特徴とする請求項１から３のいずれか一項に記載の回転構造。
【請求項５】
前記第２の筐体の回転動作とともに前記配線の出線位置が移動する移動経路と、前記所定の配線経路と、前記保護カバーの形状が対応する関係となっていることを特徴とする請求項１から４のいずれか一項に記載の回転構造。
【請求項６】
前記第２の筐体は、直接、前記第１の筐体に対して閉じた状態から１８０度開いた状態まで回転し、前記配線は、前記第２の筐体が１８０度開いた状態で前記第１の筐体と反対側に出線し、前記第２の筐体が閉じた状態で前記第１の筐体側に出線するように出線位置が移動することを特徴とする請求項１から５のいずれか一項に記載の回転構造。
【請求項７】
前記第２の筐体には、前記保護カバーの先端部が突き当たる突起部が設けられていることを特徴とする請求項１から６のいずれか一項に記載の回転構造。
【請求項８】
前記配線はフレキシブル配線基板で、
前記第２の筐体には、前記フレキシブル配線基板を通す幅広のスリットが形成されていることを特徴とする請求項１から７のいずれか一項に記載の回転構造。
【請求項９】
前記第１の筐体には、前記保護カバーを収納するとともに、手の指先を挿入可能な窪みが形成されていることを特徴とする請求項１から８のいずれか一項に記載の回転構造。
【請求項１０】
請求項１から９のいずれか一項に記載の回転構造と、
前記第１の筐体に設けた撮影レンズと、
前記第２の筐体に設けたモニタと、を備えることを特徴とする電子機器。
【発明の詳細な説明】
【技術分野】
【０００１】
本発明は、第１の筐体に対し第２の筐体がヒンジ軸を介して回転可能に結合する回転構造と、その回転構造を備える電子機器に関する。
【背景技術】
【０００２】
本体背面にチルト機構を介して液晶モニタを備えるカメラにおいて、液晶モニタの配線を本体内の基板に繋ぐために、ＦＰＣ（フレキシブル配線基板）や細線同軸などの配線が必要となる。
【０００３】
例えば図１１に示すように、操作部１１１及び表示部１１２とは別に回転機構（ヒンジ）部１１３を設けた折り畳み式携帯電話機では、その回転機構部１１３において、外観に出ることなく、表示部１１２内と操作部１１１内の基板を配線で繋ぐことは可能である。
しかし、操作部１１１及び表示部１１２とは別に露出する回転機構部１１３が必要となるため、外観への影響度が高くなってしまう。
【０００４】
また、特許文献１において、カメラ本体に対して回転可能に取り付けられた液晶モニタを備え、その液晶モニタとカメラ本体とを接続するＦＰＣの通過経路から水がカメラ本体内に浸入することを防止できるカメラが提案される。
このカメラは、カメラ本体と、そのカメラ本体の背面下部にヒンジを介して回転可能に取り付けられた液晶モニタと、ヒンジが設けられた近傍を通って、カメラ本体と液晶モニタとを電気的に接続するＦＰＣと、カメラ本体と液晶モニタとの間に設けられ、ヒンジが設けられた近傍においてＦＰＣを覆うように配置された回転蓋と、ヒンジの下方に孔を設けたヒンジカバーと、を備える。
【先行技術文献】
【特許文献】
【０００５】
【特許文献１】特許４６０４８９５（特開２００７−２８３７１）号公報
【発明の概要】
【発明が解決しようとする課題】
【０００６】
ところで、外観に影響を与えないように、回転機構部を本体と一体化させた場合、配線は外観に露出することになる。そして、配線が露出することにより、例えばユーザの誤動作や、落下、異物の挟み込みなどの外的要因による配線の断線などの危険性が高くなってしまう。
【０００７】
また、特許文献１のカメラでは、液晶モニタとヒンジ部の間に中間部材があるので、液晶モニタだけで１８０度回転しなくとも、中間部材が回転する分も合わせることで、液晶モニタを１８０度回転させることが可能となり、その分配線の露出も少なく抑えることができる半面、中間部材を必要とするため、構造が複雑になり、大型化も避けられないという問題がある。一方、液晶モニタが直に回転する場合には、構造は簡単になる反面、配線の露出が多くなってしまうという問題がある。
【０００８】
本発明の課題は、第１の筐体に対し第２の筐体がヒンジ軸を介して回転可能に結合する回転構造において、第１の筐体の内部と第２の筐体の内部とを繋いでヒンジ軸の近傍に露出して配置される配線を常時覆って保護することである。
【課題を解決するための手段】
【０００９】
以上の課題を解決するため、本発明は、
第１の筐体に対し第２の筐体がヒンジ軸を介して回転可能に結合する回転構造であって、
前記第１の筐体の内部と第２の筐体の内部とを繋いで前記ヒンジ軸の近傍に露出して配置される配線と、
前記ヒンジ軸の近傍に前記露出して配置された配線を覆うように配置されて、前記第１の筐体に対する前記ヒンジ軸回りの前記第２の筐体の回転動作に追従する保護カバーと、を備えることを特徴とする。
【発明の効果】
【００１０】
本発明によれば、第１の筐体の内部と第２の筐体の内部とを繋いでヒンジ軸の近傍に露出して配置される配線を常時覆って保護することができる。
【図面の簡単な説明】
【００１１】
【図１】本発明を適用した電子機器の一実施形態の構成を示すもので、カメラのチルト０度状態を正面側から見た斜視図（ａ）と、その背面側から見た図（ｂ）である。
【図２】図１のカメラのチルト１８０度状態（チルトアップ状態）を正面側から見た図（ａ）と、その背面側から見た図（ｂ）である。
【図３】図１（ｂ）のカメラの背面図（ａ）と、その矢印Ａ−Ａ線に沿った断面図（ｂ）と、その矢印Ｂ部の拡大図（ｃ）である。
【図４】図２（ｂ）のチルトアップ状態で保護カバーを開いた状態を示す拡大斜視図（ａ）と、そのＦＰＣの反対側を示した図（ｂ）である。
【図５】図１（ｂ）のカメラの側面図（ａ）と、その状態から表示部筐体をチルトさせる過程を示した図（ｂ）と、さらにチルトアップさせる過程を示した図（ｃ）と、チルトアップ状態を示す図（ｄ）である。
【図６】チルトアップ状態のカメラの背面図である。
【図７】図６の保護カバー部分の拡大縦断面図である。
【図８】図３（ｃ）の矢印Ｃ部の拡大図である。
【図９】チルトアップ状態のカメラを縦にして右手で持って自分撮り状態を示す正面図である。
【図１０】チルトアップ状態のカメラを縦にして左手で持って自分撮り状態を示す正面図である。
【図１１】従来の折り畳み式携帯電話機を開いた状態を示す斜視図である。
【図１２】従来のカメラ本体背面から液晶モニタをチルト機構により１８０度回転させて使用できるカメラを示した斜視図（ａ）〜（ｃ）である。
【図１３】カメラ本体の背面側全てが回転する表示部筐体を備えるカメラを示した斜視図（ａ）（ｂ）である。
【発明を実施するための形態】
【００１２】
以下、図を参照して本発明を実施するための形態を詳細に説明する。
【００１３】
（要点）
本体背面に対し液晶モニタをチルト機構により１８０度反転させて使用できるカメラにおいて、チルト機構部を最小化するため、本体内と液晶モニタ内とを電気的接続するＦＰＣを体裁面に露出させる。
そして、その露出したＦＰＣを保護するために、チルト機構に連動した保護カバーを設けることで、製品を小型化しながら、ユーザ誤操作によるＦＰＣ断線を防止する。
【００１４】
（実施形態）
図１から図３は本発明を適用した電子機器の一実施形態の構成としてカメラを示すもので、１０はカメラ本体、１１はレンズ鏡筒部、１２は本体上面のシャッターボタン、１３は本体前面のシャッターボタン、２０は表示部筐体、２１は液晶モニタ、２２は操作部である。
【００１５】
図示のように、第１の筐体であるカメラ本体１０には、前面にレンズ鏡筒部１１が備えられて、上面にシャッターボタン１２が備えられるとともに、前面にもシャッターボタン１３が備えられている。なお、レンズ鏡筒部１１に撮影レンズが内蔵されている。
また、第２の筐体である表示部筐体２０には、その一面側に液晶モニタ２１及び操作部２２が縦に並んで備えられている。
【００１６】
表示部筐体２０は、図３（ｂ）及び（ｃ）に示すように、カメラ本体１０の背面上部に対し表示部筐体２０の両端部が図示しないヒンジ軸を介して回転可能に結合されている。両端部のヒンジ軸は直線状に配置され、表示部筐体２０の内部を通る仮想的なヒンジ部を形成する。なお、表示部筐体２０の内部を通る１のヒンジ部としても、その効果は変わらない。
従って、図１（ａ）及び（ｂ）と図３に示すように、カメラ本体１０背面に表示部筐体２０を重ねたカメラ本来の状態から、図２（ａ）及び（ｂ）に示すように、カメラ本体１０背面上部でヒンジ軸を中心に表示部筐体２０を１８０度チルトアップして、カメラ本体１０上に表示部筐体２０を立てた状態にできる。
これにより、レンズ鏡筒部１１内の撮影レンズと液晶モニタ２１が同一の方向を向くので、液晶モニタ２１で撮影状況を確認しながら自分撮りすることができる。
【００１７】
以上のカメラにおいて、カメラ本体１０内のメイン回路基板１５と表示部筐体２０内の液晶基板２５とを繋ぐ配線のＦＰＣ３２の一部が、一方のヒンジ軸側の近傍に露出して配置されている。
このＦＰＣ３２は、カメラ本体１０背面の右上部に形成された窪み１６の上部の開口部１７と表示部筐体２０の背面端部に形成された幅広のスリット２７との間において、外部に露出している。なお、窪み１６は、人の手の指先が入る程度の大きさ及び深さ形状となっている。
そして、ＦＰＣ３２は、表示部筐体２０の端部内において、ヒンジ軸と略同心上に配置した軸部材３１の周囲に巻くように配置されている。
【００１８】
ここで、カメラ本体１０に対する表示部筐体２０のチルト角度によって、メイン回路基板１５と液晶基板２５との距離関係が変化するが、ＦＰＣ３２の長さを軸部材３１の周囲に巻いた部分で調整することにより、体裁面に出てくるＦＰＣ３２の量を調整している。
このように、ＦＰＣ３２の位置を、メイン回路基板１５と液晶基板２５の距離関係の変化に対して最も影響の少ない箇所にすることで、ＦＰＣ３２の長さ調整部を省スペース化している。
【００１９】
図４（ａ）は図２（ｂ）の表示部筐体２０のチルトアップ状態でのＦＰＣ３２部分を示すもので、図４（ｂ）はそのＦＰＣ３２の反対側を示している。
図示のように、ＦＰＣ３２は、幅方向に二枚折り返し状態で幅が半分となっていている。
このように、ＦＰＣ３２を幅方向に二枚折り返し状態とすることで、表示部筐体２０のチルト角度に応じた柔らかい追従性を具備しながら、幅を半分にして開口部１７、スリット２７、及び軸部材３１周りでの耐久性を具備できる。
【００２０】
また、ＦＰＣ３２の幅方向に折り返さない幅広の両端部にコネクタ３２ａが各々備えられている。この両端部のコネクタ３２ａが、メイン回路基板１５と液晶基板２５の端子部に各々挿入してそれぞれ接続される。
なお、コネクタ３２ａは、幅広のスリット２７を通過する。すなわち、スリット２７は、コネクタ３２ａの幅に対応し、かつ誤差吸収のために幅広となっている。
【００２１】
そして、一方のヒンジ軸の近傍に露出したＦＰＣ３２を覆うように配置されて、カメラ本体１０に対する軸部材３１回りの表示部筐体２０の回転動作に追従する保護カバー３３が備えられている。
この保護カバー３３は、カメラ本体１０背面の右上部の窪み１６において、その上方の開口部１７に沿ったヒンジ軸及び軸部材３１とは異なる支軸３４に揺動自在に組み付けられて、バネ３５により表示部筐体２０の回転動作に追従するよう付勢されている。
図示例において、保護カバー３３は、窪み１６に収納される大きさで、軸部材３１及びその周囲のＦＰＣ３２を覆う断面略円弧状に形成されていて、その先端が、表示部筐体２０のチルトアップ状態において、その背面端部のスリット２７に沿って形成された突起部２８に突き当たる。この突起部２８を含んでスリット２７の周囲は金属であり、その金属端面に擦れると、ＦＰＣ３２が断線してしまうのを防止するため、樹脂製の保護カバー３３で覆っている。
【００２２】
図５（ａ）はカメラ本来の状態で、図５（ｂ）はその状態から表示部筐体２０をチルトさせる過程、図５（ｃ）はさらにチルトアップさせる過程、図５（ｄ）はチルトアップ状態を示すもので、図６はチルトアップ状態の背面、図７はその保護カバー部分の拡大縦断面を示すものである。
図示のように、保護カバー３３は、一方のヒンジ軸の近傍に露出したＦＰＣ３２を覆って、バネ３５の付勢により支軸３４を中心にして表示部筐体２０の回転動作に追従する。
【００２３】
このように、保護カバー３３を用いることにより、前述したように、軸部材３１周囲に巻いて長さ調整されたＦＰＣ３２に対して、外的な要因から、ＦＰＣ３２の断線を防いでいる。
【００２４】
図８は図３（ｃ）の矢印Ｃ部を拡大したもので、図示のように、カメラ本体１０の背面に表示部筐体２０を重ねた状態で隙間α・βが極小さくて略均一な構造となっている。
このように、カメラ本体１０に対し表示部筐体２０をチルトアップ動作していない時は、外観部の隙間寸法を最適化することにより、外観部からＦＰＣ３２が見えない。
【００２５】
従って、次の効果が得られる。
１）液晶モニタ２１が直に回転する場合に、省スペースで外観に露出しているＦＰＣ３２を保護カバー３３により保護できる。
２）表示部筐体２０に追従して動く保護カバー３３を有しているため、表示部筐体２０の角度に因らず、ＦＰＣ３２を保護できる。
【００２６】
次に、図９はチルトアップ状態のカメラを縦にして右手で持って自分撮り状態を示すもので、この状態で安定して自分撮りすることができる。
すなわち、カメラ本体１０の側面下部に右手親指を沿わせた状態で、カメラ本体１０背面の下部に位置する窪み１６に右手中指の指先を入れて、レンズ鏡筒部１１の下に位置するシャッターボタン１３を親指の指先で押して、自分撮りすることができる。
【００２７】
また、図１０はチルトアップ状態のカメラを縦にして左手で持って自分撮り状態を示すもので、この状態で安定して自分撮りすることができる。
すなわち、カメラ本体１０の側面上部に左手親指を沿わせた状態で、カメラ本体１０背面の上部に位置する窪み１６に左手中指の指先を入れて、レンズ鏡筒部１１の上に位置するシャッターボタン１３を親指の指先で押して、自分撮りすることができる。
【００２８】
従って、次の効果が得られる。
１）意匠デザインに影響を与えないで、カメラ本体１０の背面に指先保持用の窪み１６を形成している。
２）カメラ本体１０の背面に指先保持用の窪み１６を有しているため、カメラの落下などの故障の原因を削減できる。
３）カメラ本体１０背面の窪み１６を指先で保持した際に、窪み１６がＦＰＣ３２の保護カバー３３の収納部を兼ねているため、製品厚みに影響を与えない。
【００２９】
以上のとおり、実施形態のカメラによれば、カメラ本体１０に対し表示部筐体２０を当該表示部筐体２０の両端部がヒンジ軸を介して回転可能に結合する回転構造において、カメラ本体１０内部と表示部筐体２０内部とを繋いでヒンジ軸の近傍に露出して配置されるＦＰＣ３２を、表示部筐体２０の回転動作に支軸３４を中心にして追従する保護カバー３２により常時覆って保護することができる。
すなわち、液晶モニタが直に回転する場合に、ヒンジ軸近傍のＦＰＣ３２の露出を、表示部筐体２０の回転動作に追従する保護カバー３２による少ない面積で防止して保護することができる。
【００３０】
ところで、図１２（ａ）〜（ｃ）に示すように、カメラ本体１２１の背面側から上方に液晶モニタ１２６が１８０度回転することで、撮影レンズと液晶モニタ１２６が同一の方向を向くことにより、液晶モニタ１２６で撮影状況を確認しながら、写真を撮ることができるカメラがある。
自分撮りをする際のカメラの姿勢として、図１２（ｂ）に示すように、カメラ本体１２１の上に液晶モニタ１２６を立てたカメラ本来の姿勢と、図１２（ｃ）に示すように、カメラ本体１２１及び液晶モニタ１２６が並んだカメラを縦に９０度傾けた姿勢と、大きく二つに分けられる。
そして、図１２（ｂ）に示す姿勢で、カメラ本体１２１の上面に配置されたシャッターボタン１２２を押して撮影する場合と、図１２（ｃ）に示す姿勢で、カメラ本体１２１の前面に配置されたシャッターボタン１２３を押して撮影する場合がある。
このようなチルト機構を有したカメラにおいて、図１２（ｂ）または（ｃ）に示すように、自分撮りをする際の姿勢として、片手を伸ばしてカメラを保持する状態が想定される。すなわち、画角を確保するために、カメラと撮影対象物（自分）との距離が必要となるため、カメラを保持する片手を伸ばして、カメラを離す必要がある。
この際、片手での操作により、保持姿勢が悪くなることによるカメラの落下などが懸念される。
【００３１】
また、カメラ本体背面側から回転する液晶モニタを含む表示部筐体の形状として、図１２（ｂ）に示すように、液晶モニタ１２６のみが回転する機構の他に、図１３（ａ）及び（ｂ）に示すように、カメラ本体１３１の背面側全ての、液晶モニタ１３６及び操作部１３７を含む表示部筐体１３５が回転する機構が考えられる。
このように、カメラ本体１３１の背面側全てが回転する表示部筐体１３５を備えるカメラの場合、図１３（ａ）に示すように、カメラ本体１３１の上に表示部筐体１３５を立てた姿勢では、カメラ本体１３１上面のシャッターボタン１３２を押して撮影したり、カメラ本体１３１前面のシャッターボタン１３３を押したりして撮影できる。
【００３２】
しかし、図１３（ｂ）に示すように、カメラ本体１３１及び表示部筐体１３５が並んだカメラを縦に９０度傾けた姿勢では、自分撮りするため、片手でカメラを持った状態でカメラ本体１３１前面のシャッターボタン１３３を押す際に不安定となってしまう。
従って、図１３（ｂ）に示したように、カメラ本体１３１及び表示部筐体１３５が並んだカメラを縦に９０度傾けた姿勢においては、カメラ本体１３１前面のシャッターボタン１３３を押す際にカメラを安定させるための対策が必要となる。
本発明の別の課題は、第１の筐体と第２の筐体を縦に並べて片手で保持する際の安定性を高めることである。
【００３３】
（要点）
ユーザの持ち方によらず、カメラの保持に対して補助的効果を発揮する位置に指掛かり形状を配置する。
【００３４】
実施形態のカメラによれば、カメラ本体１０と表示部筐体２０を縦に並べて片手で保持する際の安定性を高めることができる。
すなわち、カメラ本体１０と表示部筐体２０の面積が同等で縦に並べて片手で保持して、自分撮りする場合に、右手でも左手でもカメラ本体１０背面の窪み１６に中指の指先を掛けて保持がしやすくなる。
【００３５】
（変形例）
以上の実施形態においては、カメラとしたが、本発明はこれに限定されるものではなく、カメラを備える携帯電話など他の電子機器であってもよい。
また、実施形態では、ＦＰＣとしたが、細線同軸などの配線であってもよい。
さらに、筐体及び保護カバーの形状、窪みの形状も任意であり、その他、具体的な細部構造等についても適宜に変更可能であることは勿論である。
【００３６】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
第１の筐体に対し第２の筐体がヒンジ軸を介して回転可能に結合する回転構造であって、
前記第１の筐体の内部と第２の筐体の内部とを繋いで前記ヒンジ軸の近傍に露出して配置される配線と、
前記ヒンジ軸の近傍に前記露出して配置された配線を覆うように配置されて、前記第１の筐体に対する前記ヒンジ軸回りの前記第２の筐体の回転動作に追従する保護カバーと、を備えることを特徴とする回転構造。
＜請求項２＞
前記保護カバーは、前記配線を覆う断面略円弧状に形成されていることを特徴とする請求項１に記載の回転構造。
＜請求項３＞
前記保護カバーは、前記第１の筐体に対し前記ヒンジ軸と異なる位置に配置された軸を中心に揺動して、前記第２の筐体の回転動作に追従するようバネにより付勢されていることを特徴とする請求項１または２に記載の回転構造。
＜請求項４＞
前記配線は、前記第２の筐体における前記ヒンジ軸から所定距離の位置から出線されて外部に露出するとともに所定の配線経路を通って前記第１の筐体内に入るように配置され、
前記保護カバーは、前記所定の配線経路を覆うように形成されていることを特徴とする請求項１から３のいずれか一項に記載の回転構造。
＜請求項５＞
前記第２の筐体の回転動作とともに前記配線の出線位置が移動する移動経路と、前記所定の配線経路と、前記保護カバーの形状が対応する関係となっていることを特徴とする請求項１から４のいずれか一項に記載の回転構造。
＜請求項６＞
前記第２の筐体は、直接、前記第１の筐体に対して閉じた状態から１８０度開いた状態まで回転し、前記配線は、前記第２の筐体が１８０度開いた状態で前記第１の筐体と反対側に出線し、前記第２の筐体が閉じた状態で前記第１の筐体側に出線するように出線位置が移動することを特徴とする請求項１から５のいずれか一項に記載の回転構造。
＜請求項７＞
前記第２の筐体には、前記保護カバーの先端部が突き当たる突起部が設けられていることを特徴とする請求項１から６のいずれか一項に記載の回転構造。
＜請求項８＞
前記配線はフレキシブル配線基板で、
前記第２の筐体には、前記フレキシブル配線基板を通す幅広のスリットが形成されていることを特徴とする請求項１から７のいずれか一項に記載の回転構造。
＜請求項９＞
前記第１の筐体には、前記保護カバーを収納するとともに、手の指先を挿入可能な窪みが形成されていることを特徴とする請求項１から８のいずれか一項に記載の回転構造。
＜請求項１０＞
請求項１から９のいずれか一項に記載の回転構造と、
前記第１の筐体に設けた撮影レンズと、
前記第２の筐体に設けたモニタと、を備えることを特徴とする電子機器。
【符号の説明】
【００３７】
１０  第１の筐体
１１  レンズ鏡筒部
１２  上面のシャッターボタン
１３  前面のシャッターボタン
１５  メイン回路基板
１６  窪み
１７  開口部
２０  第２の筐体
２１  液晶モニタ
２２  操作部
２５  液晶基板
２７  スリット
２８  突起部
３１  軸部材
３２  配線
３３  保護カバー
３４  支軸
３５  バネ
【図１】
2016042165.tif 000003
【図２】
2016042165.tif 000004
【図３】
2016042165.tif 000005
【図４】
2016042165.tif 000006
【図５】
2016042165.tif 000007
【図６】
2016042165.tif 000008
【図７】
2016042165.tif 000009
【図８】
2016042165.tif 000010
【図９】
2016042165.tif 000011
【図１０】
2016042165.tif 000012
【図１１】
2016042165.tif 000013
【図１２】
2016042165.tif 000014
【図１３】
2016042165.tif 000015